(57)【要約】【課題】複数の商品見本照明用のＬＥＤランプを基板上に搭載したので、ＬＥＤランプの配線作業が容易で、点灯制御がより効果的に行える自動販売機の照明装置を提供する。【解決手段】自動販売機１は、展示スペース４に展示される透光性部材からなる複数のサンプル１３と、複数のサンプル１３に光を照射する複数のＬＥＤランプ４４が搭載された回路基板４３とを備える。展示スペース４は、太陽光等の外光を吸収、減衰あるいは偏光させる機能を有する前面パネル２０によりカバーされる。【選択図】      図３
2004164250.tif 000002
【特許請求の範囲】
【請求項１】
自動販売機の展示スペースに展示される透光性部材からなる複数の商品見本と、
前記複数の商品見本に光を照射する複数のＬＥＤランプと、
前記複数のＬＥＤランプが搭載された回路基板とを備えたことを特徴とする自動販売機の照明装置。
【請求項２】
前記複数の商品見本は、それぞれ筒状を有し、
前記複数のＬＥＤランプは、前記商品見本の底から筒内に露出するように配置され、
前記回路基板は、前記複数の商品見本の前記底面側に配置されたことを特徴とする請求項１記載の自動販売機の照明装置。
【請求項３】
前記複数の商品見本は、それぞれ筒状を有し、
前記複数のＬＥＤランプは、前記商品見本の後方から筒内に露出するように配置され、
前記回路基板は、前記複数の商品見本の後面側に配置されたことを特徴とする請求項１記載の自動販売機の照明装置。
【請求項４】
前記複数の商品見本は、前記複数のＬＥＤランプから出射された光を前方に反射する反射板を備えたことを特徴とする請求項２又は３記載の自動販売機の照明装置。
【請求項５】
前記商品見本は、少なくとも前方側に設けられ、一端に入射された光を他端側に導く導光部材と、前記導光部材の裏面に設けられ、前記一端に入射された光を前記前方側に反射する反射体とを備え、
前記ＬＥＤランプは、出射した前記光を前記導光部材の前記一端に入射することを特徴とする請求項１記載の自動販売機の照明装置。
【請求項６】
前記複数のＬＥＤランプは、直列に接続されたことを特徴とする請求項１記載の自動販売機の照明装置。
【請求項７】
前記複数のＬＥＤランプは、電源側あるいはＧＮＤ側が共通に接続されたことを特徴とする請求項１記載の自動販売機の照明装置。
【請求項８】
自動販売機の展示スペースに展示される透光性部材からなる複数の商品見本と、
前記複数の商品見本毎に販売価格、ＨＯＴ商品／ＣＯＬＤ商品の種別に関する情報を表示する複数の商品情報表示部と、
前記複数の商品見本および商品情報表示部に光をそれぞれ照射する複数の第１および第２のＬＥＤランプと、
前記複数の第１および第２のＬＥＤランプが搭載された回路基板とを備えたことを特徴とする自動販売機の照明装置。
【請求項９】
前記複数の商品情報表示部は、前記複数の商品見本の表面に設けられ、
前記複数の第１のＬＥＤランプと前記複数の第２のＬＥＤランプを共用化したことを特徴とする請求項８記載の自動販売機の照明装置。
【請求項１０】
前記回路基板は、前記第１および第２のＬＥＤランプの点灯制御を行う点灯制御回路を備えたことを特徴とする請求項８記載の自動販売機の照明装置。
【請求項１１】
前記展示スペースは、前面に透明パネルを備え、
前記複数の第１および第２のＬＥＤランプは、前記透明パネルの裏側に設けられ、
前記透明パネルは、太陽光灯の外光を吸収、減衰あるいは偏光させる機能を有することを特徴とする請求項８記載の自動販売機の照明装置。
【請求項１２】
自動販売機の展示スペースに展示される透光性部材からなる複数の商品見本と、
前記複数の商品見本毎に設けられ、販売価格、ＨＯＴ商品／ＣＯＬＤ商品の種別に関する情報を表示する複数の商品情報表示部と、
前記複数の商品見本毎に設けられ、販売可能を示す複数の販売可能表示部、および売切れを示す複数の売切れ表示部と、
前記複数の商品見本に対応して設けられた複数の商品選択釦と、
前記複数の商品見本、商品情報表示部、販売可表示部および売切れ表示部に光をそれぞれ照射する複数の第１、第２、第３および第４のＬＥＤランプと、
前記複数の第１、第２、第３および第４のＬＥＤランプが搭載された回路基板とを備えたことを特徴とする自動販売機の照明装置。
【請求項１３】
自動販売機の展示スペースに展示される透光性部材からなる複数の商品見本と、
前記複数の商品見本毎に設けられ、販売価格、ＨＯＴ商品／ＣＯＬＤ商品の種別に関する情報を表示する複数の商品情報表示部と、
前記複数の商品見本毎に設けられ、販売可能を示す複数の販売可能表示部、および売切れを示す複数の売切れ表示部と、
前記複数の商品見本に対応して設けられた複数の商品選択釦と、
前記複数の商品見本、商品情報表示部、販売可表示部および売切れ表示部に光をそれぞれ照射する複数の第１、第２、第３および第４のＬＥＤランプと、
前記複数の商品選択釦の選択操作に基づいてスイッチ動作する複数のスイッチ素子と、
前記複数の第１、第２、第３および第４のＬＥＤランプ、および前記複数のスイッチ素子が搭載された回路基板とを備えたことを特徴とする自動販売機の照明装置。
【請求項１４】
前記回路基板は、自動販売機全体を制御する主制御部との間で信号を送受信して前記複数の第１、第２、第３および第４のＬＥＤランプの点灯制御を行うとともに、前記複数のスイッチ素子のスイッチ動作の信号を前記主制御部に送信する制御回路を備えたことを特徴とする請求項１３記載の自動販売機の照明装置。
【発明の詳細な説明】
【０００１】
【発明の属する技術分野】
本発明は、自動販売機の照明装置に関し、特に、商品見本、ホット・コールド商品の別、販売価格への照明に関し、ＬＥＤランプの配線作業が容易で、ＬＥＤランプの点灯制御がより効果的に行なうことができる自動販売機の照明装置に関する。
【従来の技術】
従来の自動販売機として、略箱型状の販売機本体の前面に、商品の補充、入れ替え等に開閉される主扉を設け、その主扉の上部に透明パネルを設け、この透明パネルの内側の展示スペースに各種の商品見本を上下３段に配列し、商品見本をＬＥＤランプにより照らし、透明パネルの前面に商品見本に対応して複数の選択ボタンを配列した商品選択スイッチを設けたものが知られている（例えば、特許文献１参照。）
【０００２】
【特許文献１】
特開２００１−２８３３１０号公報（図１）
【０００３】
【発明が解決しようとする課題】
しかし、従来の自動販売機では、ＬＥＤランプによる照明は商品見本だけに限られているうえに各ＬＥＤランプにハーネスを介してそれぞれ給電を行なっているので、ハーネスの接続作業の負担が大きい。また、自動販売機においては、販売価格あるいはホット・コールド商品の別についての照明は、商品見本の照明以上に、消費者にとって重要であるので、商品見本と同様に照明しなければならない。一方において、販売可、売切れ、準備中の表示は、いわゆる連動ボタンで行なっているため、自動販売機に別々の部品として組み込まれている。一般的には、これらは全てマスターコントロール部で集中的に制御されており、配線経路を含めて、統一されることが望ましい。
【０００４】
従って、本発明の目的は、商品見本、ホット・コールド商品の別、販売価格への照明に関し、ＬＥＤランプの配線作業が容易で、ＬＥＤランプの点灯制御がより効果的に行なうことができる自動販売機の照明装置を提供することにある。
【０００５】
【課題を解決するための手段】
本発明は、上記目的を達成するため、自動販売機の展示スペースに展示される透光性部材からなる複数の商品見本と、前記複数の商品見本に光を照射する複数のＬＥＤランプと、前記複数のＬＥＤランプが搭載された回路基板とを備えたことを特徴とする自動販売機の照明装置を提供する。
【０００６】
この構成によれば、複数の商品見本照明用のＬＥＤランプを基板上に搭載したので、ＬＥＤランプの配線作業が容易で、点灯制御がより効果的に行える。
【０００７】
【発明の実施の形態】
以下、本発明の実施の形態を図面に基づいて説明する。図１は、本発明の第１の実施の形態に係る自動販売機を示す斜視図である。自動販売機１は、コーヒー、コーラ、ジュース、ウーロン茶等の多種類の飲料（缶またはビン詰め、またはカップ入り）を硬貨や紙幣の投入に応じて自動販売するものであり、内部に多数の商品をストックしている。自動販売機１は、略箱型状の販売機本体２と、この販売機本体２の前面に形成され前面パネルとなる主扉３とを備える。
【０００８】
主扉３は、前面カバーとして外光を吸収、減衰あるいは偏光する前面パネル２０と、前面パネル２０の内側に形成される展示スペース４と、紙幣および硬貨を投入する料金投入部５と、釣銭を返却する釣銭返却口６と、商品を取り出すための商品販売口７と、広告などを表示する広告部８と、展示スペース４に配置される複数のサンプル１３と、複数のサンプル１３を載置するサンプル台９と、サンプル台９の前面に設けられ、商品の種類（ＣＯＬＤ、ＨＯＴ等）や価格等を表示するサブパネル１０と、前面パネル２０の表面に設けられ、商品を選択する複数の選択ボタン部１１とを備え、販売機本体２の前面に蝶着されているために開閉でき、サンプル１３の交換、商品の補充、商品の入れ替え等の時に開閉される。
【０００９】
選択ボタン部１１は、選択ボタン１２と、商品の販売が可能なときに点灯する販売ＬＥＤランプと、商品が売り切れたときに点灯する売切れＬＥＤランプと、押圧操作によってスイッチ動作して選択信号を制御部に出力するスイッチ素子と、販売ＬＥＤランプ、売切れＬＥＤランプおよびスイッチ素子を搭載する回路基板とを備える。
【００１０】
図２は、前面パネル２０の説明図である。前面パネル２０は、光を吸収あるいは減衰させる遮光片２０ａを備える。前面パネル２０を通過した光２１ａは、サンプル１３の表面で反射するが、遮光片２０ａにより反射光は吸収あるいは減衰される。また、前面パネル２０に入射する光２１ｂ，２１ｃは、遮光片２０ａにより吸収され、反射光を射出しない。サンプル１３からの光は、直進性を有し、遮光片２０ａに遮られることなく外部に出ていく。
【００１１】
図３は、サンプル１３とＬＥＤ基板の関係を示す図であり、（ａ）は、サンプル１３とＬＥＤ基板の斜視図であり、（ｂ）は、（ａ）のＡ−Ａ線断面図である。サンプル１３は、サンプル本体４１と、サンプル本体４１に内蔵された反射板４２と、各サンプル本体４１の周囲に取り付けられた商品デザインを印刷したフィルム４６、価格を示すフィルム４７およびホットあるいはコールドを示すフィルム４８とを備える。サンプル１３の下側には、ＬＥＤ基板４３が設けられ、ＬＥＤ基板４３上には、各サンプル本体４１内に整列して設けられたＬＥＤランプ４４とが設けられている。
【００１２】
ＬＥＤ基板４３は、制御線４５を備え、制御部から制御線４５を介してＬＥＤランプ４４の点灯制御が行なわれるようになっている。
【００１３】
価格を示すフィルム４７と、ホットあるいはコールドを示すフィルム４８は、商品に応じて所定のフィルムをサンプル１３の所定の位置に貼り付けられる。このフィルム４７，４８は商品に応じて適宜交換が可能となっている。
【００１４】
図４は、本発明の第１の実施の形態に係る自動販売機において、サンプル１３用のＬＥＤランプ４４の接続の仕方を示す図である。（ａ）は、ＬＥＤランプを直列に接続する場合の配線図、（ｂ）は、電源側を共通に接続し、ＧＮＤ側を別個に接続するするときの配線図、（ｃ）は、ＧＮＤ側を共通に接続し、電源側を別個に接続するときの配線図、（ｄ）は、各ＬＥＤランプを並列に接続する場合の配線図を示す。ここで、Ｒは、ＬＥＤランプ４４に所定の電圧を印可し所定の色の光を発色させるためのものである。なお、（ａ）において、ＬＥＤの個数は、電源電圧およびＬＥＤの順方向電圧によって定まる。図４（ａ）から（ｄ）のいずれの接続方法も採用できる。図４（ｂ）、（Ｃ）を採用することにより、個々のＬＥＤランプ４４を点灯制御することができる。
【００１５】
次に、この第１の実施の形態の自動販売機の動作を説明する。制御部は、在庫状況等に基づいて選択ボタン部１１の販売可表示用ＬＥＤランプ、売切れ表示用ＬＥＤランプ、およびサンプル本体４１内のＬＥＤランプ４４を点灯あるいは消灯させる。すなわち、サンプル本体４１内のＬＥＤランプ４４は、販売可能商品については点灯し、売切れ商品については消灯する。
【００１６】
前面パネル２０は、外光の吸収、減衰あるいは偏光の役目を果たし、前面パネルで光を入射側に反射しない。ＬＥＤランプ４４が発光した光は、反射板４２に進行し、反射板に進行した光は反射板４２により反射され、商品デザインを印刷したフィルム４６を透過して外部に拡散される。この結果、ＬＥＤランプ４４によって販売可能商品のサンプル本体４１を照らす光は、外光と干渉しないため、昼間でも購入者にどれが販売可能商品であるかが容易に分かる。
【００１７】
ここで、購入者が料金投入部５に紙幣あるいは硬貨を投入すると、制御部は、販売可能商品に対応する選択ボタン部１１の販売可表示用ＬＥＤランプを点灯させる。購入者は、販売可表示用ＬＥＤランプの点灯によって販売が可能な商品のうち購入を希望する商品に対応する選択ボタン部１１を押下する。選択ボタン部１１は、選択信号を制御部に送信する。制御部は、図示しない商品排出機構を制御して選択された商品を商品販売口７に排出する。必要な場合には、釣り銭を釣銭返却口６に返却する。購入者は商品販売口７から商品を取り出す。このようにして商品が自動販売される。
【００１８】
この第１の実施の形態に係る自動販売機によれば、以下の効果を奏する。
（イ）外光の吸収、減衰あるいは偏光の役目を果たす前面パネル２０を設けることとしたため、サンプル１３は、自動販売機の外側が明るいときでも、前面パネル２０による外光の反射の影響を受けずに、明瞭に確認できる。また、サンプル１３は、自動販売機の周辺の明るさに応じて明るさを変えることにより、明瞭に視認することができる。
（ロ）サンプル本体４１の照明用のＬＥＤランプを基板上に配置したので、構成の簡素化が図れる。
（ハ）ＬＥＤランプ４４によってサンプル本体４１を内部から照明するとともに、背面の反射板４２の反射によってサンプル本体４１をより明るく照らし出すことができるので、商品デザインを印刷したフィルム４６を良く認識することができる。
（ニ）サンプル本体４１の照明用としてＬＥＤランプ４４を用いているので、寿命が長くなり、交換に伴うメンテナンスの負担を軽減することができ、消費電力の低減を図ることができる。
（ホ）展示スペース４から蛍光灯を無くすことができるので、展示スペース４の有効利用が図れる。
（ヘ）価格を示すフィルム４７、ホットあるいはコールドを示すフィルム４８がＬＥＤランプ４４によって明るく照らされているので、ＨＯＴ商品とＣＯＬＤ商品の識別が容易となり、商品選択の誤りが少なくなり、投入金額の誤りが少なくなる。
【００１９】
図５は、第２の実施の形態に係る自動販売機に適用したサンプル１３を示す図であり、（ａ）は、斜視図、（ｂ）は、（ａ）のＡ−Ａ線断面図である。この第２の実施の形態は、第１の実施の形態において、ＬＥＤ基板４３をサンプル１３の後側に配置したものである。
【００２０】
サンプル１３は、サンプル台９上に載置され、商品デザインを印刷したフィルム４６を巻回したサンプル本体４１と、各サンプル本体４１内に設けられ、ＬＥＤランプ４４の発光した光を前方に反射させる反射板４２と、各サンプル本体４１の周囲に取り付けられた商品デザインを印刷したフィルム４６、価格を示すフィルム４７、およびホット商品あるいはコールド商品を示すフィルム４８とを備える。また、サンプル１３の後ろ側には、各サンプル本体４１内に配置されるＬＥＤランプ４４が搭載され、展示スペース４の奥壁５０を介して取付具８０により取り付けられたＬＥＤ基板４３を設けている。なお、ＬＥＤランプ４４を反射板４２の前方に配置するために、反射板４２、サンプル本体４１、商品デザインを印刷したフィルム４６および奥壁５０に穴４２ａ，４２ｂ，４１ａ，４２ｂ，４６ａ，４６ｂ，５０ａ，５０ｂをあけてある。
【００２１】
このように構成された第２の実施の形態において、ＬＥＤランプ４４の発光した光は、直接前方に出射する光と，反射板４２で反射され前面側に進行する光により、商品デザインを印刷したフィルム４６を内側から照射する。
【００２２】
この第２の実施の形態によれば、ＬＥＤランプ４４の発光によってサンプル本体４１を内側から直接照らすとともに、横あるいは後方に出射した光は、反射板４２により反射され、前面側に進行し、商品デザインを印刷したフィルム４６を内側から照らすため、サンプル１３は、自動販売機１の外から明瞭に確認できる。このとき、前面パネル２０は、外光を吸収、減衰あるいは偏光し、前面パネルによって外光が反射されないため、サンプル１３により明瞭に視認することができる。
【００２３】
図６は、本発明の第３の実施の形態を示す自動販売機を示す図であり、（ａ）は自動販売機の要部斜視図、（ｂ）は、（ａ）のＡ−Ａ線断面図、（ｃ）は、サンプル１３の横断面図、（ｄ）は、選択ボタンボタンの正面図である。
【００２４】
展示スペース４内に載置されるサンプル１３は、サンプル台９上に載置されるサンプル本体４１と、光入射部６０ａからＬＥＤランプ６３が発光する光を入射して発光する発光部６０と、発光部６０の発光を反射させる反射板６４と、商品デザインを印刷したフィルム４６とを備える。ＬＥＤランプ６３は、制御線７６により回路基板７１の所定部品と接続される。サンプル台９の前面に設けられ、商品の種類（ＣＯＬＤ、ＨＯＴ等）や価格等を表示するサブパネル１０とが設けられている。、
【００２５】
発光部６０は、例えば、フッ素樹脂製のチューブの中に塩化ビニルなどのエラストマーを封入したもので、光をエラストマーに入射したとき、フッ素樹脂製のチューブとエラストマーとの界面で発光するものである。
【００２６】
サブパネル１０は、価格を示すフィルム４７およびホットあるいはコールドを示すフィルム４８と備える。回路基板７１は、サブパネル１０の内部から光を照射するＬＥＤランプ７４と、スイッチ素子７２と、選択ボタン１２を照明するＬＥＤランプ７３とを備える。選択ボタン１２は、選択ボタン部の押下に従ってスイッチ素子７２をオンまたはオフにするアクチュエータ１２ａとを備える。なお、ＬＥＤランプ７３は、スイッチ素子７２を挟むようにスイッチ素子７２の両側に取り付けられており、販売可能表示部９１および売切れ表示部９２をＬＥＤランプ７３の点灯によりそれぞれ行なう。
【００２７】
図７は、第３の実施の形態に係る自動販売機の回路構成を示す図である。この自動販売機は、展示スペース４に展示される透光性部材からなる複数のサンプル１３と、複数のサンプル１３毎に設けられ、販売価格、ＨＯＴ商品／ＣＯＬＤ商品の種別に関する情報を表示する複数の商品情報表示部であるサブパネル１０と、複数のサンプル１３毎に設けられ、販売可能を示す複数の販売可能表示部９１、および売切れを示す複数の売切れ表示部９２と、複数のサンプル１３に対応して設けられた複数の選択ボタン１２と、複数のサンプル１３、商品情報表示部であるサブパネル１０、販売可能表示部９１および売切れ表示部９２に光をそれぞれ照射する複数の第１、第２、第３および第４のＬＥＤランプ６３，７３，７３，７４と、複数の選択ボタン１２の選択操作に基づいてスイッチ動作する複数のスイッチ素子７２と、複数の第１、第２、第３および第４のＬＥＤランプ６３，７３，７３，７４および前記複数のスイッチ素子７２が搭載された回路基板７１とを備える。
【００２８】
このように構成された第３の実施の形態において、この回路における動作を説明する。主制御部１１０は、商品の在庫状況を図示しないセンサにより把握しており、商品が販売可能あるいは売切れである場合は、主制御部１１０から従制御部１２０，１２１，・・にその情報が送られ、選択ボタン１２の販売可能表示部９１あるいは売切れ表示部９２にＬＥＤランプ７３Ａ，７３Ｂを点灯して、商品が販売可能であるか、売切れであるかを表示する。ＬＥＤランプ６３により発光部６０に入射されてサンプル１３が照明される。サブパネル１０は、ＬＥＤ７４により光を照射されてホット商品かコールド商品かの表示を明確にする。また、発光部６０の発光により、直進する光のほか、反射板６４により光を前面側に反射する。
【００２９】
この第３の実施の形態を示す自動販売機によれば、１つの発光部６０により１つのサンプルを発光により表示するため、売り切れの商品を消灯するなど商品の情報をきめ細かく行うことができる。発光部６０上に商品デザインを印刷したフィルム４６が接触しているため、弱い光でも、サンプルを表示することができる。
【００３０】
第３の実施の形態において、選択ボタンとＬＥＤ基板を分離することで、選択ボタンは、いずれの自動販売機に使用することができ、部品の共通化に寄与し、ひいては、コストの低減に資することとなる。同様に、専用の基板を使用しなくても、汎用の基板を使用してＬＥＤ基板を製作すれば、コストの低減を図ることができる。
【００３１】
本発明は、上記の実施の形態に限定されず、種々の変形実施が可能である。例えば、漏光ファイバは、入射する光の波長や明るさを時間とともに変化させることにより、より視覚に訴えることができる。また、ＬＥＤランプは、全て同一色である必要はなく、適宜発色の色を選択することができる。サンプルを照射するＬＥＤランプも同様である。
【００３２】
前面パネルは、光を反射するが、入射角よりも小さな角度で反射し、入射角と同一角度で出射しないように反射する偏光部材であってもよい。前面パネルにより反射した光は、人の目の方に向かう角度で反射しないため、前面パネルによる反射を防ぐことができる。
【００３３】
また、ＬＥＤランプは、サンプルを照射するＬＥＤランプの光の強度を自動販売機の周囲の明るさに応じて変えることにより、サンプルを明瞭に視認することができる。
【００３４】
１枚のＬＥＤ基板に複数のサンプルを照明するＬＥＤランプを設けているため、点灯制御を行ないやすく、点灯の態様によっては、広告など視覚に訴えることができる。
【００３５】
ＬＥＤランプは、単色のほか、２色、あるいはＲＧＢ発色を行なうものであってもよい。特にＲＧＢ発色を行えるＬＥＤランプを使用すると、より視覚に訴えることができる。ＲＧＢの各色を合成して白色光をサンプル照明用としてもよい。
【００３６】
【発明の効果】
以上説明したとおり、本発明によれば、複数の商品見本照明用のＬＥＤランプを回路基板上に搭載したので、ＬＥＤランプの配線作業が容易で、点灯制御がより効果的に行える。
【図面の簡単な説明】
【図１】本発明の第１の実施の形態に係る自動販売機の斜視図を示す。
【図２】本発明の第１の実施の形態に係る前面パネルの説明図である。
【図３】本発明の第１の実施の形態に係るサンプルとＬＥＤ基板の関係を示す図であり、（ａ）は、サンプルとＬＥＤ基板の斜視図であり、（ｂ）は、（ａ）のＡ−Ａ線断面図である。
【図４】本発明の第１の実施の形態に係る自動販売機において、ＬＥＤランプの接続の仕方を示す図であり、（ａ）は、ＬＥＤランプを直列に接続する場合の配線図、（ｂ）は、電源側を共通に接続し、ＧＮＤ側を別個に接続するするときの配線図、（ｃ）は、ＧＮＤ側を共通に接続し、電源側を別個に接続するときの配線図、（ｄ）は、各ＬＥＤランプを並列に接続する場合の配線図である。
【図５】本発明の第２の実施の形態に係る自動販売機に適用したサンプルを示す図であり、（ａ）は、斜視図、（ｂ）は、（ａ）のＡ−Ａ線断面図である。
【図６】本発明の第３の実施の形態を示す自動販売機を示す図であり、（ａ）はサンプルと商品選択部とを一体に形成した自動販売機の要部斜視図であり、（ｂ）は、（ａ）のＡ−Ａ線断面図であり、（ｃ）は、サンプルの横断面図である。
【図７】第３の実施の形態に係る自動販売機の回路構成を示す図である。
【符号の説明】
１          自動販売機
２          販売機本体
３          主扉
４          展示スペース
５          料金投入部
６          釣銭返却口
７          商品販売口
８          広告部
９          サンプル台
１０      サブパネル
１１      選択ボタン部
１２      選択ボタン
１２ａ  アクチュエータ
１３      サンプル
２０      前面パネル
２０ａ  遮光片
２１ａ  光
２１ｂ，２１ｃ              光
４１      サンプル本体
４２      反射板
４２ａ，４２ｂ，４１ａ，４２ｂ，４６ａ，４６ｂ，５０ａ，５０ｂ  穴
４３      回路基板
４４      ＬＥＤランプ
４５      制御線
４６      フィルム
４７      フィルム
４８      フィルム
５０      奥壁
６０ａ  光入射部
６０      発光部
６３，７３，７４          ＬＥＤランプ
６４      反射板
７１      回路基板
７２      スイッチ素子
７３，７３Ａ，７３Ｂ  ＬＥＤランプ
７４      ＬＥＤランプ
７６      制御線
８０      取付具
９１      販売可能表示部
９２      売切れ表示部
１１０  主制御部
１２０，１２１，          従制御部
【図１】
2004164250.tif 000003
【図２】
2004164250.tif 000004
【図３】
2004164250.tif 000005
【図４】
2004164250.tif 000006
【図５】
2004164250.tif 000007
【図６】
2004164250.tif 000008
【図７】
2004164250.tif 000009